(57)【要約】【課題】高精度で受電器の位置を特定し、特定した位置に対応する出力装置に情報を出力することができるサーバ装置、その処理方法、情報システム及びその処理方法を提供することを課題とする。【解決手段】サーバ装置は、送電器から受電器へ無線送電した時の前記送電器の送電電力及び前記受電器の受電電力をネットワークを介して受信する受信部（Ｓ８１３）と、前記受信した送電電力及び受電電力を基に、前記送電器に対する前記受電器の位置を特定し、前記特定した前記受電器の位置に対応する出力装置に対して、ネットワークを介して、情報を送信する送信部（Ｓ８１４〜Ｓ８１６）とを有する。【選択図】図８
2014207758.tif 000002
【特許請求の範囲】
【請求項１】
送電器から受電器へ無線送電した時の前記送電器の送電電力及び前記受電器の受電電力をネットワークを介して受信する受信部と、
前記受信した送電電力及び受電電力を基に、前記送電器に対する前記受電器の位置を特定し、前記特定した前記受電器の位置に対応する出力装置に対して、ネットワークを介して、情報を送信する送信部と
を有することを特徴とするサーバ装置。
【請求項２】
前記受信部は、前記受電器の識別子を受信し、
前記送信部は、前記受信した受電器の識別子に応じた情報を送信することを特徴とする請求項１記載のサーバ装置。
【請求項３】
前記受信部は、前記送電器の識別子を受信し、
前記送信部は、前記受信した送電器の識別子を有する送電器に対応する出力装置に対して情報を送信することを特徴とする請求項１又は２記載のサーバ装置。
【請求項４】
さらに、前記受電器の識別子とそれに対応する性別又は年齢を記憶するテーブルを有し、
前記送信部は、前記テーブルを参照し、前記受信した受電器の識別子に対応する性別又は年齢に応じた情報を送信することを特徴とする請求項２記載のサーバ装置。
【請求項５】
前記送信部は、前記受信した受電器の識別子が登録されている場合には情報を送信し、前記受信した受電器の識別子が登録されていない場合には情報を送信しないことを特徴とする請求項２又は４記載のサーバ装置。
【請求項６】
前記受信部は、第１の送電器から第１の受電器へ無線送電した時の前記第１の送電器の送電電力及び前記第１の受電器の受電電力をネットワークを介して受信し、その後、第２の送電器から前記第１の受電器へ無線送電した時の前記第２の送電器の送電電力及び前記第１の受電器の受電電力をネットワークを介して受信し、
前記送信部は、前記受信した前記第１の送電器の送電電力及び前記第１の受電器の受電電力並びに前記受信した前記第２の送電器の送電電力及び前記第１の受電器の受電電力を基に、前記第１の受電器が前記第１の送電器側から前記第２の送電器側に移動したと推定し、前記第１の送電器及び前記第２の送電器の間に位置する出力装置の出力エリアに情報を出力させることを特徴とする請求項１〜５のいずれか１項に記載のサーバ装置。
【請求項７】
送電器から受電器へ無線送電した時の前記送電器の送電電力及び前記受電器の受電電力をネットワークを介して受信し、
前記受信した送電電力及び受電電力を基に、前記送電器に対する前記受電器の位置を特定し、前記特定した前記受電器の位置に対応する出力装置に対して、ネットワークを介して、情報を送信することを特徴とするサーバ装置の処理方法。
【請求項８】
無線送電する送電器と、
無線受電する受電器と、
情報を出力する出力装置と、
サーバ装置とを有し、
前記サーバ装置は、
前記送電器から前記受電器へ無線送電した時の前記送電器の送電電力及び前記受電器の受電電力をネットワークを介して受信する受信部と、
前記受信した送電電力及び受電電力を基に、前記送電器に対する前記受電器の位置を特定し、前記特定した前記受電器の位置に対応する前記出力装置に対して、ネットワークを介して、情報を送信する送信部と
を有することを特徴とする情報システム。
【請求項９】
前記受電器は、バッテリを有し、前記送電器から無線受電すると、前記バッテリに充電することを特徴とする請求項８記載の情報システム。
【請求項１０】
前記送電器は、前記受電器の受電電力を前記受電器から無線受信し、前記受電器の受電電力及び前記送電器の送電電力を前記サーバ装置に、ネットワークを介して送信することを特徴とする請求項８又は９記載の情報システム。
【請求項１１】
無線送電する送電器と、
無線受電する受電器と、
情報を出力する出力装置と、
サーバ装置とを有する情報システムの処理方法であって、
前記サーバ装置は、
前記送電器から前記受電器へ無線送電した時の前記送電器の送電電力及び前記受電器の受電電力をネットワークを介して受信し、
前記受信した送電電力及び受電電力を基に、前記送電器に対する前記受電器の位置を特定し、前記特定した前記受電器の位置に対応する前記出力装置に対して、ネットワークを介して、情報を送信することを特徴とする情報システムの処理方法。
【発明の詳細な説明】
【技術分野】
【０００１】
本発明は、サーバ装置、その処理方法、情報システム及びその処理方法に関する。
【背景技術】
【０００２】
任意の場所に設置された表示装置に対して、その表示装置に表示させるための広告情報を配信する広告配信装置が知られている（例えば、特許文献１参照）。広告情報記憶手段は、広告情報を複数記憶し、その広告情報の夫々と対応づけて視聴者の嗜好情報を記憶する。嗜好情報記憶手段は、視聴者が携帯する携帯情報端末に対応づけて視聴者の嗜好情報を記憶する。検出手段は、任意の場所に設置された表示装置の周囲における任意の領域に存在している携帯情報端末を検出する。情報取得手段は、検出された携帯情報端末に対応する嗜好情報を嗜好情報記憶手段から取得する。選択手段は、取得された嗜好情報に対応する広告情報を広告情報記憶手段から選択する。送信手段は、選択された広告情報を表示装置に送信する。
【０００３】
また、被電力供給端末へ無線で電力を供給する無線送電部と、被電力供給端末の位置を検出する位置検出部とを有する無線通信装置が知られている（例えば、特許文献２参照）。情報生成部は、位置検出部により検出された被電力供給端末の位置に基づいて、被電力供給端末の利用者に移動を促す移動促進情報を生成する。通信処理部は、情報生成部により生成された移動促進情報を無線信号を用いて被電力供給端末へ送信する。
【先行技術文献】
【特許文献】
【０００４】
【特許文献１】特開２００３−１２２９９４号公報
【特許文献２】特開２００９−２６１１５６号公報
【発明の概要】
【発明が解決しようとする課題】
【０００５】
携帯情報端末の位置情報を得る手段として、ＧＰＳ（グローバル・ポジショニング・システム：Global Positioning System）を使用することが知られている。しかし、ＧＰＳによる測位は、衛星からの信号が受信できる屋外に限られており、測位精度が数ｍ以上と悪い上に、位置情報は携帯情報端末内で生じる。そのため、広告配信装置は、その位置情報を直接得られず、得るためには、携帯情報端末の利用者が位置情報発信の許可を行う必要がある。また、基地局（又は無線ローカルエリアネットワーク（ＬＡＮ）親機）と通信している携帯情報端末が、移動に伴って、通信する基地局を切り替える（ハンドオーバー）ため、各基地局が通信カバーしている単位・分解能でしか、携帯情報端末の位置を把握することができない。そのため、広告を配信する店舗エリアの中で、携帯情報端末の位置を特定することはできない。したがって、ＧＰＳ又はハンドオーバー技術を用いても、屋内で高精度に携帯情報端末の位置を特定することができず、携帯情報端末の位置に応じて広告を配線することが困難であるという課題が存在する。
【０００６】
本発明の目的は、高精度で受電器の位置を特定し、特定した位置に対応する出力装置に情報を出力することができるサーバ装置、その処理方法、情報システム及びその処理方法を提供することである。
【課題を解決するための手段】
【０００７】
サーバ装置は、送電器から受電器へ無線送電した時の前記送電器の送電電力及び前記受電器の受電電力をネットワークを介して受信する受信部と、前記受信した送電電力及び受電電力を基に、前記送電器に対する前記受電器の位置を特定し、前記特定した前記受電器の位置に対応する出力装置に対して、ネットワークを介して、情報を送信する送信部とを有する。
【発明の効果】
【０００８】
送電電力及び受電電力を基に受電器の位置を特定することにより、高精度で受電器の位置を特定し、特定した位置に対応する出力装置に情報を出力することができる。また、受電器は、上記の情報の出力に対する対価として、送電器から無線受電し、バッテリに充電することができる。
【図面の簡単な説明】
【０００９】
【図１】図１は、本実施形態による情報システムの構成例を示す概念図である。
【図２】図２は、本実施形態による情報システムの構成例を示す図である。
【図３】図３は、図２の送電器及び受電器の構成例を示す図である。
【図４】図４は、送電器から受電器までの距離の推定方法を説明するための図である。
【図５】図５（Ａ）はサーバ装置に記憶される送電器の位置情報を示す図であり、図５（Ｂ）はサーバ装置に記憶される出力装置の位置情報を示す図である。
【図６】図６（Ａ）はサーバ装置に記憶される受電器の識別番号（ＩＤ番号）及び顧客情報のテーブルを示す図であり、図６（Ｂ）はサーバ装置に記憶される各広告（ＣＭ）番号及び顧客対象のテーブルを示す図である。
【図７】図７は、情報システムによる情報の通信を示すシーケンス図である。
【図８】図８は、情報システムの処理方法を示すフローチャートである。
【図９】図９は、サーバ装置に記憶される送電器及び出力装置の位置情報を示す図である。
【図１０】図１０（Ａ）はサーバ装置に記憶される受電器の登録番号、識別番号（ＩＤ番号）及び顧客情報のテーブルを示す図であり、図１０（Ｂ）はサーバ装置が使用するパラメータを説明するための図である。
【図１１】図１１は、図９の情報システムの処理方法を示すフローチャートである。
【図１２】図１２は、サーバ装置に記憶される送電器及び出力装置の位置情報の他の例を示す図である。
【発明を実施するための形態】
【００１０】
図１は、本実施形態による情報システムの構成例を示す概念図である。情報システムは、サーバ装置１０１と、複数の出力装置１０２ａ，１０２ｂと、複数の送電器１０３ａ，１０３ｂと、受電器１０４とを有し、店舗が顧客１０５に広告情報を提供するためのシステムである。情報システムは、例えば、屋内に設けることができる。
【００１１】
出力装置１０２ａ，１０２ｂは、それぞれ、映像及び音声を出力するためのディスプレイ装置及びスピーカを有する。受電器１０４は、携帯端末又は携帯電話である。顧客１０５は、受電器１０４を持ち、移動可能である。サーバ装置１０１、出力装置１０２ａ，１０２ｂ及び送電器１０３ａ，１０３ｂは、相互にネットワークで接続され、相互に情報の通信が可能である。
【００１２】
第１の送電器１０３ａは、第１の送電可能エリア１０６ａ内で受電器１０４に無線（ワイヤレス）送電可能である。受電器１０４は、第１の送電可能エリア１０６ａ内で、第１の送電器１０３ａから無線受電し、バッテリに充電可能である。受電器１０４は、受電器１０４の識別子及び受電電力を第１の送電器１０３ａに無線送信する。第１の送電器１０３ａは、受信した受電器１０４の識別子及び受電電力をサーバ装置１０１に送信し、さらに、第１の送電器１０３ａの識別子及び送電電力を送信する。サーバ装置１０１は、第１の送電器１０３ａの送電電力及び受電器１０４の受電電力を基に、受電効率を演算し、第１の送電器１０３ａに対する受電器１０４の位置を特定する。サーバ装置１０１は、受電器１０４の位置が第１の送電器１０３ａに近い場合には、第１の送電器１０３ａの位置に近い第１の出力装置１０２ａに対して広告情報の映像及び音声を送信する。その際、サーバ装置１０１は、顧客情報テーブルを参照し、受電器１０４の識別子を基に顧客１０５の性別及び年齢等の顧客情報に応じた広告情報を送信する。第１の出力装置１０２ａは、広告情報の映像を表示し、広告情報の音声を出力する。顧客１０５は、第１の出力装置１０２ａにより店舗の広告情報を受ける対価として、受電器１０４を充電することができる。受電器１０４は、無線受電により、充電と共に、受電電力を第１の送電器１０３ａに無線送信することにより、サーバ装置１０１が受電器１０４の位置を特定することができる。
【００１３】
また、第２の送電器１０３ｂは、第２の送電可能エリア１０６ｂ内で受電器１０４に無線送電可能である。受電器１０４は、第２の送電可能エリア１０６ｂ内で、第２の送電器１０３ｂから無線受電し、バッテリに充電可能である。受電器１０４は、受電器１０４の識別子及び受電電力を第２の送電器１０３ｂに無線送信する。第２の送電器１０３ｂは、受信した受電器１０４の識別子及び受電電力をサーバ装置１０１に送信し、さらに、第２の送電器１０３ｂの識別子及び送電電力を送信する。サーバ装置１０１は、第２の送電器１０３ｂの送電電力及び受電器１０４の受電電力を基に、受電効率を演算し、第２の送電器１０３ｂに対する受電器１０４の位置を特定する。サーバ装置１０１は、受電器１０４の位置が第２の送電器１０３ｂに近い場合には、第２の送電器１０３ｂの位置に近い第２の出力装置１０２ｂに対して広告情報の映像及び音声を送信する。その際、サーバ装置１０１は、顧客情報テーブルを参照し、受電器１０４の識別子を基に顧客１０５の性別及び年齢等の顧客情報に応じた広告情報を送信する。第２の出力装置１０２ｂは、広告情報の映像を表示し、広告情報の音声を出力する。顧客１０５は、第２の出力装置１０２ｂにより店舗の広告情報を受ける対価として、受電器１０４を充電することができる。受電器１０４は、無線受電により、充電と共に、受電電力を第２の送電器１０３ｂに無線送信することにより、サーバ装置１０１が受電器１０４の位置を特定することができる。
【００１４】
図２は、本実施形態による情報システムの構成例を示す図である。ネットワーク２０１には、サーバ装置１０１、複数の出力装置（ディスプレイ装置）１０２ａ〜１０２ｄ、複数の送電器１０３ａ〜１０３ｄが接続される。ネットワーク２０１は、有線ネットワーク又は無線ネットワークである。送電器１０３ａ〜１０３ｄは、その近傍の受電器１０４ａ〜１０４ｃに対して給電可能である。また、送電器１０３ａ〜１０３ｄは、その近傍の受電器１０４ａ〜１０４ｃに対して無線通信可能である。
【００１５】
図３は、図２の送電器１０３ａ及び受電器１０４ａの構成例を示す図である。送電器１０３ｂ〜１０３ｄは、送電器１０３ａと同様の構成を有する。受電器１０４ｂ及び１０４ｃは、受電器１０４ａと同様の構成を有する。
【００１６】
まず、送電器１０３ａの構成を説明する。中央処理装置（ＣＰＵ）３０３は、ネットワークインターフェース３０２を介して、ネットワーク２０１に対して通信可能である。無線通信器３０１は、中央処理装置３０３の制御により、受電器１０４ａ〜１０４ｃに対して、情報３２１を無線通信可能である。
【００１７】
変調器３０４は、中央処理装置３０３の制御により、無線送電のための変調信号を出力する。増幅器３０５は、中央処理装置３０３の制御により、変調器３０４により変調された信号を増幅し、高周波数の電圧を送電用コイル（インダクタ）３０８に印加する。すると、送電用コイル３０８には、磁界が発生し、電磁誘導により、コイル３０９及び容量３１０を有するＬＣ共振器に電流が流れる。ＬＣ共振器は、コイル３０９及び容量３１０の直列接続回路であり、その共振周波数は１／｛２×π×√（Ｌ×Ｃ）｝である。ここで、Ｌはインダクタンスであり、Ｃは容量値である。
【００１８】
送電用コイル３０８に印加される電圧の周波数は、１／｛２×π×√（Ｌ×Ｃ）｝の共振周波数であるので、コイル３０９及び容量３１０のＬＣ共振器は共振状態になる。ＬＣ共振器には磁界が発生し、１／｛２×π×√（Ｌ×Ｃ）｝の共振周波数の磁界共鳴３２３により、受電器１０４ａのコイル３１７及び容量３１８のＬＣ共振器に電流が流れ、ＬＣ共振器は共振状態になる。すると、コイル３１７及び容量３１８のＬＣ共振器には磁界が発生し、電磁誘導により、受電用コイル３１６に電流が流れる。整流器３１３は、受電用コイル３１６に発生する電圧を整流し、その整流した電圧を、制御回路３１９を介してバッテリ３２０に供給する。バッテリ３２０は、その供給された電圧により充電される。以上のように、送電器１０３ａは、磁界共鳴３２３により、受電器１０４ａに対して無線送電し、受電器１０４ａのバッテリ３２０を充電することができる。なお、中央処理装置３１２は、バッテリ３２０の満充電又は充電異常の故障情報などを制御回路３１９から入力することができる。
【００１９】
受電器１０４ａにおいて、無線通信器３１１は、中央処理装置３１２の制御により、送電器１０３ａ〜１０３ｄに対して、情報３２２を無線通信可能である。情報３２２は、受電器１０４ａの識別子及び受電電力の情報を含む。電圧検出器３１４は、受電用コイル３１６の受電電圧を検出する。電流検出器３１５は、受電用コイル３１６に流れる受電電流を検出する。中央処理装置３１２は、電圧検出器３１４により検出された受電電圧及び電流検出器３１５により検出された受電電流の乗算により受電電力を演算する。無線通信器３１１は、その受電電力の情報３２２を送電器１０３ａに無線送電する。
【００２０】
送電器１０３ａにおいて、無線通信器３０１は、受電器１０４ａから受電電力の情報３２１を無線受信する。電圧検出器３０６は、送電用コイル３０８に印加される送電電圧を検出する。電流検出器３０７は、送電用コイル３０８に流れる送電電流を検出する。中央処理装置３０３は、電圧検出器３０６により検出された送電電圧及び電流検出器３０７により検出された送電電流の乗算により、送電電力を演算する。中央処理装置３０３は、ネットワークインターフェース３０２を介して、受電電力及び送電電力の情報をサーバ装置１０１に送信する。
【００２１】
図４は、送電器１０３ａから受電器１０４ａまでの距離の推定方法を説明するための図である。サーバ装置１０１は、上記のように、送電器１０３ａの送電電力及び受電器１０４ａの受電電力を受信し、受電電力／送電電力により受電器１０４ａの受電効率を演算する。図４において、縦軸は受電器１０４ａの受電効率を示し、横軸は送電器１０３ａから受電器１０４ａまでの距離を示す。送電器１０３ａから受電器１０４ａまでの距離が０の時、受電効率が最大になる。送電器１０３ａから受電器１０４ａまでの距離が長くなるほど、受電効率が小さくなる。サーバ装置１０１は、図４の特性を示すテーブルを参照することにより、受電効率を基に、送電器１０３ａから受電器１０４ａまでの距離を推定することができる。なお、他の送電器１０３ｂ〜１０３ｄ及び受電器１０４ｂ〜１０４ｃについても同様である。
【００２２】
図５（Ａ）は、サーバ装置１０１に記憶される送電器１０３ａ〜１０３ｄの位置情報を示す図である。４個の送電器１０３ａ〜１０３ｄは、図５（Ａ）に示す位置に配置される。第１の送電器１０３ａは、第１の送電可能エリア１０６ａ内で送電可能である。第２の送電器１０３ｂは、第２の送電可能エリア１０６ｂ内で送電可能である。第３の送電器１０３ｃは、第３の送電可能エリア１０６ｃ内で送電可能である。第４の送電器１０３ｄは、第４の送電可能エリア１０６ｄ内で送電可能である。
【００２３】
図５（Ｂ）は、サーバ装置１０１に記憶される出力装置１０２ａ〜１０２ｄの位置情報を示す図である。４個の出力装置１０２ａ〜１０２ｄは、図５（Ｂ）に示す位置に配置される。第１の出力装置１０２ａは、第１の情報提供可能エリア５０１ａ内で広告情報を提供可能である。第２の出力装置１０２ｂは、第２の情報提供可能エリア５０１ｂ内で広告情報を提供可能である。第３の出力装置１０２ｃは、第３の情報提供可能エリア５０１ｃ内で広告情報を提供可能である。第４の出力装置１０２ｄは、第４の情報提供可能エリア５０１ｄ内で広告情報を提供可能である。情報提供可能エリア５０１ａ〜５０１ｄは、それぞれ、顧客が出力装置１０２ａ〜１０２ｄの広告を見たり聞いたりすることが可能なエリアである。
【００２４】
図６（Ａ）は、サーバ装置１０１に記憶される受電器１０４ａ〜１０４ｃの識別番号（ＩＤ番号）及び顧客情報のテーブルを示す図である。テーブルには、受電器１０４ａ〜１０４ｃの登録番号と、受電器１０４ａ〜１０４ｃのＩＤ番号と、顧客情報とが記憶されている。顧客情報は、各ＩＤ番号の受電器１０４ａ〜１０４ｃを所有する顧客の情報であり、性別及び年齢などを含む。情報システムのサービスを受けたい顧客は、サーバ装置１０１により、顧客情報を登録する。
【００２５】
図６（Ｂ）は、サーバ装置１０１に記憶される各広告（ＣＭ）番号及び顧客対象のテーブルを示す図である。テーブルには、ＣＭ番号及びそのＣＭ番号の広告に適した顧客対象の情報が記憶されている。例えば、ＣＭ番号が「ＣＭ０１」の広告は、男性かつ若者の顧客に適した広告であることを示す。
【００２６】
図７は、情報システムによる情報の通信を示すシーケンス図である。出力装置（ディスプレイ装置）１０２は、出力装置１０２ａ〜１０２ｄに対応する。送電器１０３は、送電器１０３ａ〜１０３ｄに対応する。受電器１０４は、受電器１０４ａ〜１０４ｃに対応する。
【００２７】
ステップＳ７２１では、送電器１０３は、近傍に位置する受電器１０４を検知するためのポーリングを行う。具体的には、送電器１０３は、無線通信器３０１により、受電器１０４を検知するための信号を送信する。受電器１０４は、送電器１０３の近傍に位置する場合には、無線通信器３１１により、送電器１０３の信号を受信し、その応答信号を送電器１０３に送信する。
【００２８】
次に、ステップＳ７２２では、送電器１０３は、無線通信器３０１により、受電器１０４の応答信号を受信すると、その受電器１０４に対してその受電器１０４固有のＩＤ（識別子）情報の要求信号を送信する。
【００２９】
次に、ステップＳ７２３では、受電器１０４は、無線通信器３１１により、その要求信号を受信すると、その送電器１０３に自己の受電器固有のＩＤ情報を送信する。
【００３０】
次に、ステップＳ７１１では、送電器１０３は、ネットワークインターフェース３０２を介して、受電器１０４固有のＩＤ情報及び自己の送電器番号をサーバ装置１０１に送信する。
【００３１】
次に、ステップＳ７１２では、サーバ装置１０１は、受信した受電器１０４のＩＤ情報（ＩＤ番号）が図６（Ａ）のテーブルに登録されている場合には、給電可能の情報を送電器１０３に送信し、登録されていない場合には、給電不可の情報を送電装置１０３に送信する。
【００３２】
次に、ステップＳ７２４では、送電器１０３は、給電可能の情報を受信した場合には、無線通信器３０１により、給電開始の信号を受電器１０４に送信する。
【００３３】
次に、ステップＳ７２５では、受電器１０４は、無線通信器３１１により、給電開始の信号を受信すると、無線受電及び充電が可能な状態である場合（その機能を有する場合を含む）には、受電可能であることを示す信号を送電器１０３に送信する。
【００３４】
次に、ステップＳ７２６では、送電器１０３は、受電器１０４に対して無線（ワイヤレス）給電（送電）を開始する。
【００３５】
次に、ステップＳ７２７では、受電器１０４は、無線受電し、バッテリ３２０に充電し、無線通信器３１１により、受電電力データを送電器１０３に送信する。
【００３６】
次に、ステップＳ７１３では、送電器１０３は、ネットワークインターフェース３０２を介して、自己の送電器番号、自己の送電電力データ及び受電器１０４の受電電力データをサーバ装置１０１に送信する。
【００３７】
次に、ステップＳ７０１では、サーバ装置１０１は、受信した受電電力データ及び送電電力データの除算により受電効率を演算する。次に、サーバ装置１０１は、図４のテーブルを参照し、その受電効率を基に、送電器１０３から受電器１０４までの距離を推定する。次に、サーバ装置１０１は、受信した送電器番号を基に、図５（Ａ）の送電器１０３の位置を特定し、送電器１０３の位置及び送電器１０３から受電器１０４までの距離を基に、その送電器１０３に対応する位置（近い位置）の出力装置１０２を特定する。次に、サーバ装置１０１は、図６（Ａ）のテーブルを参照し、受信した受電器１０４のＩＤ情報（ＩＤ番号）を基に、その受電器１０４の顧客情報を読み出す。次に、サーバ装置１０１は、図６（Ｂ）のテーブルを参照し、その顧客情報に対応するＣＭ番号を読み出す。次に、サーバ装置１０１は、そのＣＭ番号の広告情報（映像及び音声）を、上記の特定した出力装置１０２に送信する。
【００３８】
次に、ステップＳ７０２では、出力装置１０２は、受信した広告情報をディスプレイ装置及びスピーカに表示及び発音する。次に、出力装置１０２は、特定ＣＭ表示中であることを示す信号をサーバ装置１０１に送信する。
【００３９】
ステップＳ７２８では、送電器１０３は、受電器１０４に対して定期的に受電確認の信号を送信する。受電器１０４は、その信号に応答し、定期的に受電電力データを送電器１０３に送信する。送電器１０３は、受信した受電電力データが閾値未満になると、受電器１０４が自己の送電可能エリア１０６外に移動したと判断し、ステップＳ７１４において、自己の送電器番号及び給電終了信号をサーバ装置１０１に送信する。
【００４０】
また、ステップＳ７２９において、受電器１０４は、充電異常又は満充電などの状態になった場合には、給電終了信号を送電器１０３に送信する。すると、ステップＳ７１４において、送電器１０３は、自己の送電器番号及び給電終了信号をサーバ装置１０１に送信する。
【００４１】
次に、ステップＳ７０３では、サーバ装置１０１は、上記の給電終了信号を受信すると、表示終了信号を出力装置１０２に送信する。すると、出力装置１０２は、上記の特定の広告情報の表示及び発音を終了し、通常の広告情報の表示及び発音を開始する。
【００４２】
図８は、図７に対応し、情報システムの処理方法を示すフローチャートである。ステップＳ８００では、出力装置１０２は、サーバ装置１０１の制御により、通常の広告情報の表示及び発音を行う。
【００４３】
ステップＳ８０１では、送電器１０３は、近傍に位置する受電器１０４を検知するためのポーリングを行う。具体的には、送電器１０３は、無線通信器３０１により、受電器１０４を検知するための信号を送信する。受電器１０４は、送電器１０３の近傍に位置する場合には、無線通信器３１１により、送電器１０３の信号を受信し、その応答信号を送電器１０３に送信する。
【００４４】
次に、ステップＳ８０２では、送電器１０３は、無線通信器３０１により、受電器１０４の応答信号を受信すると、その受電器１０４に対してその受電器１０４固有のＩＤ（識別子）情報の要求信号を送信する。
【００４５】
次に、ステップＳ８０３では、受電器１０４は、無線通信器３１１により、その要求信号を受信すると、その送電器１０３に自己の受電器固有のＩＤ情報を送信する。
【００４６】
次に、ステップＳ８０４では、送電器１０３は、ネットワークインターフェース３０２を介して、受電器１０４固有のＩＤ情報及び自己の送電器番号をサーバ装置１０１に送信する。
【００４７】
次に、ステップＳ８０５では、サーバ装置１０１は、受信した受電器１０４のＩＤ情報（ＩＤ番号）が図６（Ａ）のテーブルに登録されている場合には、ステップＳ８０８に進み、登録されていない場合には、給電不可の情報を送電装置１０３に送信し、ステップＳ８０６に進む。
【００４８】
ステップＳ８０６では、送電器１０３は、給電不可通知信号を受電器１０４に送信する。すると、ステップＳ８０７では、受電器１０４は、受電動作を停止する。
【００４９】
ステップＳ８０８では、サーバ装置１０１は、給電可能の信号を送電器１０３に送信する。次に、ステップＳ８０９では、送電器１０３は、給電可能の信号を受信した場合には、無線通信器３０１により、給電開始の信号を受電器１０４に送信する。
【００５０】
次に、ステップＳ８１０では、受電器１０４は、無線通信器３１１により、給電開始の信号を受信すると、無線受電及び充電が可能な状態である場合（その機能を有する場合を含む）には、受電可能であることを示す信号を送電器１０３に送信する。
【００５１】
次に、ステップＳ８１１では、送電器１０３は、受電器１０４に対して無線（ワイヤレス）給電（送電）を開始する。
【００５２】
次に、ステップＳ８１２では、受電器１０４は、無線受電し、バッテリ３２０に充電し、無線通信器３１１により、受電電力データを送電器１０３に送信する。
【００５３】
次に、ステップＳ８１３では、送電器１０３は、ネットワークインターフェース３０２を介して、自己の送電器番号、自己の送電電力データ及び受電器１０４の受電電力データをサーバ装置１０１に送信する。
【００５４】
次に、ステップＳ８１４では、サーバ装置１０１は、受信した受電電力データ及び送電電力データの除算により受電効率を演算する。次に、サーバ装置１０１は、図４のテーブルを参照し、その受電効率を基に、送電器１０３から受電器１０４までの距離を推定する。次に、サーバ装置１０１は、受信した送電器番号を基に、図５（Ａ）の送電器１０３の位置を特定し、送電器１０３の位置及び送電器１０３から受電器１０４までの距離を基に、その送電器１０３に対応する位置（近い位置）の出力装置１０２を特定する。
【００５５】
次に、ステップＳ８１５では、サーバ装置１０１は、図６（Ａ）のテーブルを参照し、受信した受電器１０４のＩＤ情報（ＩＤ番号）を基に、その受電器１０４の顧客情報を読み出す。
【００５６】
次に、ステップＳ８１６では、サーバ装置１０１は、図６（Ｂ）のテーブルを参照し、その顧客情報に対応するＣＭ番号を読み出す。次に、サーバ装置１０１は、そのＣＭ番号の広告情報（映像及び音声）を、上記の特定した出力装置１０２に送信する。
【００５７】
次に、ステップＳ８１７では、出力装置１０２は、受信した広告情報をディスプレイ装置及びスピーカに表示及び発音する。次に、出力装置１０２は、特定ＣＭ表示中であることを示す信号をサーバ装置１０１に送信する。
【００５８】
ステップＳ８２２では、送電器１０３は、給電を継続するか否かを確認し、継続する場合には、ステップＳ８２１に進み、継続しない場合には、ステップＳ８２３に進む。ステップＳ８２１では、送電器１０３は、受電器１０４への給電を継続し、ステップＳ８２２に進む。ステップＳ８２３では、送電器１０３は、給電終了信号をサーバ装置１０１に送信する。具体的には、送電器１０３は、受電器１０４に対して定期的に受電確認の信号を送信する。受電器１０４は、その信号に応答し、定期的に受電電力データを送電器１０３に送信する。送電器１０３は、受信した受電電力データが閾値未満になると、受電器１０４が自己の送電可能エリア１０６外に移動したと判断し、ステップＳ８２３において、自己の送電器番号及び給電終了信号をサーバ装置１０１に送信する。
【００５９】
また、ステップＳ８１９では、受電器１０４は、受電を継続するか否かを確認し、継続する場合には、ステップＳ８１８に進み、継続しない場合には、ステップＳ８２０に進む。ステップＳ８１８では、受電器１０４は、送電器１０３からの受電を継続し、ステップＳ８１９に進む。ステップＳ８２０では、受電器１０４は、受電終了信号を送電器１０３に送信する。すると、ステップＳ８２３において、送電器１０３は、給電終了信号をサーバ装置１０１に送信する。具体的には、受電器１０４は、充電異常又は満充電などの状態になった場合には、受電終了信号を送電器１０３に送信する。すると、ステップＳ８２３において、送電器１０３は、自己の送電器番号及び給電終了信号をサーバ装置１０１に送信する。
【００６０】
次に、ステップＳ８２４では、サーバ装置１０１は、上記の送電器番号及び給電終了信号を受信すると、それに対応する特定の広告情報の出力停止信号を出力装置１０２に送信する。
【００６１】
すると、ステップＳ８２５において、出力装置１０２は、上記の特定の広告情報の表示及び発音を終了し、通常の広告情報の表示及び発音を開始する。
【００６２】
以上のように、ステップＳ８１３では、サーバ装置１０１の受信部は、送電器１０３から受電器１０４へ無線送電した時の送電器１０３の送電電力及び受電器１０４の受電電力をネットワーク２０１を介して受信する。次に、ステップＳ８１４〜Ｓ８１６では、サーバ装置１０１の送信部は、受信した送電電力及び受電電力を基に、送電器１０３に対する受電器１０４の位置を特定し、特定した受電器１０４の位置に対応する出力装置１０２に対して、ネットワーク２０１を介して、広告情報を送信する。
【００６３】
また、ステップＳ８０４において、サーバ装置１０１の受信部は、受電器１０４の識別子を受信する。その後、ステップＳ８１６において、サーバ装置１０１の送信部は、受信した受電器１０４の識別子に応じた広告情報を送信する。その際、サーバ装置１０１の送信部は、受信した送電器１０３の識別子を有する送電器１０３に対応する出力装置１０２に対して広告情報を送信する。
【００６４】
サーバ装置１０１は、図６（Ａ）に示すように、受電器１０４の識別子とそれに対応する性別又は年齢を記憶するテーブルを記憶する。サーバ装置１０１の送信部は、図６（Ａ）のテーブルを参照し、受信した受電器１０４の識別子に対応する性別又は年齢に応じた広告情報を送信する。
【００６５】
また、ステップＳ８０５において、サーバ装置１０１の送信部は、受信した受電器１０４の識別子が登録されている場合には広告情報を送信し、受信した受電器１０４の識別子が登録されていない場合には広告情報を送信しない。
【００６６】
本実施形態によれば、送電電力及び受電電力を基に受電器１０４の位置を特定することにより、高精度で受電器１０４の位置を特定し、特定した位置に対応する出力装置１０２に広告情報を出力することができる。また、受電器１０４は、上記の情報の出力に対する対価として、送電器１０３から無線受電し、バッテリ３２０に充電することができる。
【００６７】
図９は、図５（Ａ）及び（Ｂ）に対応し、サーバ装置１０１に記憶される送電器１０３ａ，１０３ｂ及び出力装置１０２ａ，１０２ｂの位置情報を示す図であり、送電器１０３ａ及び１０３ｂの送電可能エリア１０６ａ及び１０６ｂ内に複数の受電器１０４ａ〜１０４ｅが存在する例を示す図である。
【００６８】
第１の送電器１０３ａは、第１の送電可能エリア１０６ａ内で送電可能である。第２の送電器１０３ｂは、第２の送電可能エリア１０６ｂ内で送電可能である。第１の出力装置１０２ａは、第１の情報提供可能エリア５０１ａ内で広告情報を提供可能である。第２の出力装置１０２ｂは、第２の情報提供可能エリア５０１ｂ内で広告情報を提供可能である。第１の情報提供可能エリア５０１ａは、第１の送電可能エリア１０６ａに対応する。第２の情報提供可能エリア５０１ｂは、第２の送電可能エリア１０６ｂに対応する。受電器１０４ａ〜１０４ｃは、第１の送電可能エリア１０６ａ内に位置する。受電器１０４ｄ及び１０４ｅは、第２の送電可能エリア１０６ｂ内に位置する。以下、この場合の処理例を、図１０（Ａ）、（Ｂ）及び図１１を参照しながら、説明する。
【００６９】
図１０（Ａ）は、図６（Ａ）に対応し、サーバ装置１０１に記憶される図９の受電器１０４ａ〜１０４ｅの登録番号、識別番号（ＩＤ番号）及び顧客情報のテーブルを示す図である。テーブルには、受電器１０４ａ〜１０４ｅの登録番号と、受電器１０４ａ〜１０４ｅのＩＤ番号と、顧客情報とが記憶されている。顧客情報は、性別及び年齢を含む。例えば、受電器１０４ａ〜１０４ｅの登録番号は、それぞれＴ１〜Ｔ５である。
【００７０】
図１０（Ｂ）は、サーバ装置１０１が使用するパラメータを説明するための図である。これらのパラメータの初期値は０である。
【００７１】
パラメータＮAmは、第１の送電器１０３ａが給電している男性数を示すパラメータである。パラメータＮAwは、第１の送電器１０３ａが給電している女性数を示すパラメータである。パラメータＮAYは、第１の送電器１０３ａが給電している若者数（例えば４０歳未満）を示すパラメータである。パラメータＮAOは、第１の送電器１０３ａが給電している年配数（例えば４０歳以上）を示すパラメータである。
【００７２】
パラメータＮBmは、第２の送電器１０３ｂが給電している男性数を示すパラメータである。パラメータＮBwは、第２の送電器１０３ｂが給電している女性数を示すパラメータである。パラメータＮBYは、第２の送電器１０３ｂが給電している若者数を示すパラメータである。パラメータＮBOは、第２の送電器１０３ｂが給電している年配数を示すパラメータである。
【００７３】
図１１は、図８に対応し、図９の情報システムの処理方法を示すフローチャートである。ステップＳ１１０１では、第１の出力装置１０２ａは、サーバ装置１０１の制御により、通常の広告情報の表示及び発音を行う。ステップＳ１１０２では、第２の出力装置１０２ｂは、サーバ装置１０１の制御により、通常の広告情報の表示及び発音を行う。
【００７４】
まず、ステップＳ１１０３では、サーバ装置１０１と第１の送電器１０３ａと第１の受電器１０４ａは、図８の点線で示すステップＳ８２６と同様の処理を行う。第１の受電器１０４ａは、図９に示すように、第１の送電器１０３ａの第１の送電可能エリア１０６ａ内に位置する。第１の送電器１０３ａは、自己の送電器番号及び第１の受電器１０４ａのＩＤ番号をサーバ装置１０１に送信する。
【００７５】
次に、ステップＳ１１０４では、サーバ装置１０１は、図１０（Ａ）のテーブルを参照し、第１の受電器１０４ａの登録番号Ｔ１が登録されており、その顧客情報が「男・２８歳」であるので、図１０（Ｂ）のパラメータＮAm及びＮAYを１増加する。これにより、パラメータＮAm及びＮAYは、共に１になる。
【００７６】
次に、ステップＳ１１０５では、サーバ装置１０１と第１の送電器１０３ａと第２の受電器１０４ｂは、図８の点線で示すステップＳ８２６と同様の処理を行う。第２の受電器１０４ｂは、図９に示すように、第１の送電器１０３ａの第１の送電可能エリア１０６ａ内に位置する。第１の送電器１０３ａは、自己の送電器番号及び第２の受電器１０４ｂのＩＤ番号をサーバ装置１０１に送信する。
【００７７】
次に、ステップＳ１１０６では、サーバ装置１０１は、図１０（Ａ）のテーブルを参照し、第２の受電器１０４ｂの登録番号Ｔ２が登録されており、その顧客情報が「女・２８歳」であるので、図１０（Ｂ）のパラメータＮAw及びＮAYを１増加する。これにより、パラメータＮAwは１になり、パラメータＮAYは２になる。
【００７８】
次に、ステップＳ１１０７では、サーバ装置１０１と第１の送電器１０３ａと第３の受電器１０４ｃは、図８の点線で示すステップＳ８２６と同様の処理を行う。第３の受電器１０４ｃは、図９に示すように、第１の送電器１０３ａの第１の送電可能エリア１０６ａ内に位置する。第１の送電器１０３ａは、自己の送電器番号及び第３の受電器１０４ｃのＩＤ番号をサーバ装置１０１に送信する。
【００７９】
次に、ステップＳ１１０８では、サーバ装置１０１は、図１０（Ａ）のテーブルを参照し、第３の受電器１０４ｃの登録番号Ｔ３が登録されており、その顧客情報が「男・３２歳」であるので、図１０（Ｂ）のパラメータＮAm及びＮAYを１増加する。これにより、パラメータＮAmは２になり、パラメータＮAYは３になる。
【００８０】
次に、ステップＳ１１０９では、サーバ装置１０１は、パラメータＮAmが２、パラメータＮAwが１、パラメータＮAYが３、パラメータＮAOが０であるので、男性が多くかつ若者が多いと判断し、図６（Ｂ）のテーブルを参照し、男性かつ若者向けのＣＭ番号ＣＭ０１を特定する。また、サーバ装置１０１は、上記のように、第１の送電器１０３ａの送電器番号を受信しているので、図９の送電器及び出力装置の位置情報テーブルを基に、第１の送電器１０３ａに最も近い第１の出力装置１０２ａを特定する。次に、サーバ装置１０１は、特定したＣＭ番号ＣＭ０１の広告情報を、特定した第１の出力装置１０２ａに送信する。
【００８１】
次に、ステップＳ１１１０では、第１の出力装置１０２ａは、受信したＣＭ番号ＣＭ０１の広告情報を表示及び発音する。これにより、受電器１０４ａ〜１０４ｃを持っている顧客は、第１の出力装置１０２ａの広告情報を視聴することができる。
【００８２】
ステップＳ１１１１では、サーバ装置１０１と第２の送電器１０３ｂと第４の受電器１０４ｄは、図８の点線で示すステップＳ８２６と同様の処理を行う。第４の受電器１０４ｄは、図９に示すように、第２の送電器１０３ｂの第２の送電可能エリア１０６ｂ内に位置する。第２の送電器１０３ｂは、自己の送電器番号及び第４の受電器１０４ｄのＩＤ番号をサーバ装置１０１に送信する。
【００８３】
次に、ステップＳ１１１２では、サーバ装置１０１は、図１０（Ａ）のテーブルを参照し、第４の受電器１０４ｄの登録番号Ｔ４が登録されており、その顧客情報が「女・４０歳」であるので、図１０（Ｂ）のパラメータＮBw及びＮBOを１増加する。これにより、パラメータＮBw及びＮBOは、共に１になる。
【００８４】
次に、ステップＳ１１１３では、サーバ装置１０１と第２の送電器１０３ｂと第５の受電器１０４ｅは、図８の点線で示すステップＳ８２６と同様の処理を行う。第５の受電器１０４ｅは、図９に示すように、第２の送電器１０３ｂの第２の送電可能エリア１０６ｂ内に位置する。第２の送電器１０３ｂは、自己の送電器番号及び第５の受電器１０４ｅのＩＤ番号をサーバ装置１０１に送信する。
【００８５】
次に、ステップＳ１１１４では、サーバ装置１０１は、図１０（Ａ）のテーブルを参照し、第５の受電器１０４ｅの登録番号Ｔ５が登録されており、その顧客情報が「女・４３歳」であるので、図１０（Ｂ）のパラメータＮBw及びＮBOを１増加する。これにより、パラメータＮBwは２になり、パラメータＮBOも２になる。
【００８６】
次に、ステップＳ１１１５では、サーバ装置１０１は、パラメータＮBmが０、パラメータＮBwが２、パラメータＮBYが０、パラメータＮBOが２であるので、女性が多くかつ年配が多いと判断し、図６（Ｂ）のテーブルを参照し、女性かつ年配向けのＣＭ番号ＣＭ０４を特定する。また、サーバ装置１０１は、上記のように、第２の送電器１０３ｂの送電器番号を受信しているので、図９の送電器及び出力装置の位置情報テーブルを基に、第２の送電器１０３ｂに最も近い第２の出力装置１０２ｂを特定する。次に、サーバ装置１０１は、特定したＣＭ番号ＣＭ０４の広告情報を、特定した第２の出力装置１０２ｂに送信する。
【００８７】
次に、ステップＳ１１１６では、第２の出力装置１０２ｂは、受信したＣＭ番号ＣＭ０４の広告情報を表示及び発音する。これにより、受電器１０４ｄ及び１０４ｅを持っている顧客は、第２の出力装置１０２ｂの広告情報を視聴することができる。
【００８８】
ステップＳ１１１７において、第１の送電器１０３ａは、受電器１０４ａ〜１０４ｃが第１の送電可能エリア１０６ａ内に存在しなくなったと判断すると、自己の送電器番号及び給電終了信号をサーバ装置１０１に送信する。すると、ステップＳ１１１８において、サーバ装置１０１は、受信した送電器番号及び給電終了信号を基に、それに対応したＣＭ番号ＣＭ０１の広告情報の出力停止信号を第１の出力装置１０２ａに送信する。すると、ステップＳ１１１９において、第１の出力装置１０２ａは、ＣＭ番号ＣＭ０１の広告情報の表示及び発音を停止し、通常の広告情報の表示及び発音を開始する。
【００８９】
また、ステップＳ１１１７において、第２の送電器１０３ｂは、受電器１０４ｄ及び１０４ｅが第２の送電可能エリア１０６ｂ内に存在しなくなったと判断すると、自己の送電器番号及び給電終了信号をサーバ装置１０１に送信する。すると、ステップＳ１１１８において、サーバ装置１０１は、受信した送電器番号及び給電終了信号を基に、それに対応したＣＭ番号ＣＭ０４の広告情報の出力停止信号を第２の出力装置１０２ｂに送信する。すると、ステップＳ１１１９において、第２の出力装置１０２ｂは、ＣＭ番号ＣＭ０４の広告情報の表示及び発音を停止し、通常の広告情報の表示及び発音を開始する。
【００９０】
図１２は、サーバ装置１０１に記憶される送電器１０３ａ，１０３ｂ及び出力装置１０２ａ，１０２ｂの位置情報の他の例を示す図である。以下、図１２が図９と異なる点を説明する。第１の出力装置１０２ａは、第１の表示エリア（第１の出力エリア）１０２ａａ及び第２の表示エリア（第２の出力エリア）１０２ａｂに２画面分割表示することができる。第１の表示エリア１０２ａａは、情報提供可能エリア５０１ａａ内で広告情報を提供可能である。第２の表示エリア１０２ａｂは、情報提供可能エリア５０１ａｂ内で広告情報を提供可能である。情報提供可能エリア５０１ａｂは、第１の送電可能エリア１０６ａにおいて第２の送電器１０３ｂに対して近い側のエリアである。これに対し、情報提供可能エリア５０１ａａは、第１の送電可能エリア１０６ａにおいて第２の送電器１０３ｂに対して遠い側のエリアである。
【００９１】
第３の受電器１０４ｃが第２の送電器１０３ｂの第２の送電可能エリア１０６ｂから第１の送電器１０３ａの第１の送電可能エリア１０６ａに移動した場合を説明する。この場合、サーバ装置１０１は、最初、第３の受電器１０４ｃが第２の送電器１０３ｂの近くに位置する情報を受信し、その後、第３の受電器１０４ｃが第２の送電器１０３ｂの近くに位置せず第１の送電器１０３ａの近くに位置する情報を受信する。これにより、サーバ装置１０１は、第３の受電器１０４ｃが第２の送電器１０３ｂの近くから第１の送電器１０３ａの近くに移動したことを認識することができる。すなわち、サーバ装置１０１は、第３の受電器１０４ｃが第２の送電器１０３ｂ側から第１の送電器１０３ａに向けて移動してきたことを認識することができる。これにより、サーバ装置１０１は、第３の受電器１０４ｃが、第２の送電器１０３ｂに対して遠い情報提供可能エリア５０１ａａ内に位置せず、第２の送電器１０３ｂに対して近い情報提供可能エリア５０１ａｂ内に位置することを認識できる。サーバ装置１０１は、第３の受電器１０４ｃを持っている顧客に適した広告情報を、第１の表示装置１０２ａの第２の表示エリア１０２ａｂに表示させることができる。また、それとともに、サーバ装置１０１は、第１の受電器１０４ａの顧客に適した広告情報を、第１の表示エリア１０２ａａに表示させることができる。これにより、サーバ装置１０１は、より顧客に適した広告情報を提供することができる。
【００９２】
以上のように、サーバ装置１０１の受信部は、第２の送電器１０３ｂから第３の受電器１０４ｃへ無線送電した時の第２の送電器１０３ｂの送電電力及び第３の受電器１０４ｃの受電電力をネットワーク２０１を介して受信する。その後、サーバ装置１０１の受信部は、第１の送電器１０３ａから第３の受電器１０４ｃへ無線送電した時の第１の送電器１０３ａの送電電力及び第３の受電器１０４ｃの受電電力をネットワーク２０１を介して受信する。
【００９３】
サーバ装置１０１の送信部は、受信した第２の送電器１０３ｂの送電電力及び第３の受電器１０４ｃの受電電力並びに受信した第１の送電器１０３ａの送電電力及び第３の受電器１０４ｃの受電電力を基に、第３の受電器１０４ｃが第２の送電器１０３ｂ側から第１の送電器１０３ａ側に移動したと推定し、第１の送電器１０３ａ及び第２の送電器１０３ｂの間に位置する出力装置１０２ａの出力エリア１０２ａｂに情報を出力させる。
【００９４】
本実施形態は、受電器１０４を持つ顧客の近くの出力装置１０２に、顧客に適した広告情報の映像及び音声を流すことにより、顧客の購買意欲を高め、店舗の販売増加を促進することができる。また、顧客は、その広告情報を提供された対価として、使用している受電器１０４を無線給電により充電することが可能となり、顧客と店舗サービス提供者の双方が利便性、安全性及びサービスコストといった面で恩恵を受けることができる。
【００９５】
なお、サーバ装置１０１は、コンピュータがプログラムを実行することによって実現することができる。また、上記のプログラムを記録したコンピュータ読み取り可能な記録媒体及び上記のプログラム等のコンピュータプログラムプロダクトも本発明の実施形態として適用することができる。記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００９６】
上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００９７】
１０１  サーバ装置
１０２  出力装置
１０３  送電器
１０４  受電器
１０５  顧客
１０６  送電可能エリア
【図１】
2014207758.tif 000003
【図２】
2014207758.tif 000004
【図３】
2014207758.tif 000005
【図４】
2014207758.tif 000006
【図５】
2014207758.tif 000007
【図６】
2014207758.tif 000008
【図７】
2014207758.tif 000009
【図８】
2014207758.tif 000010
【図９】
2014207758.tif 000011
【図１０】
2014207758.tif 000012
【図１１】
2014207758.tif 000013
【図１２】
2014207758.tif 000014